(57)【要約】【課題】効率的に対象移動局ＵＥに所望無線品質を測定させて報告させる。【解決手段】本発明に係る移動通信方法は、運用保守サーバＯＡＭが、加入者情報サーバＨＳＳによって管理されている各移動局ＵＥの「ＵＥ  ｓｕｂｓｃｒｉｐｔｉｏｎ」を収集する工程Ａと、運用保守サーバＯＡＭが、各移動局ＵＥの「ＵＥ  ｃａｐａｂｉｌｉｔｙ」を収集する工程Ｂと、運用保守サーバＯＡＭが、「ＵＥ  ｓｕｂｓｃｒｉｐｔｉｏｎ」及び「ＵＥ  ｃａｐａｂｉｌｉｔｙ」に基づいて、対象移動局ＵＥを選択する工程Ｃとを有する。【選択図】図３
2011223117.tif 000002
【特許請求の範囲】
【請求項１】
対象移動局に所望無線品質を測定させて報告させる移動通信方法であって、
運用保守サーバが、加入者情報サーバによって管理されている各移動局の加入者情報を収集する工程Ａと、
前記運用保守サーバが、各移動局の能力情報を収集する工程Ｂと、
前記運用保守サーバが、前記加入者情報及び前記能力情報に基づいて、前記対象移動局を選択する工程Ｃとを有することを特徴とする移動通信方法。
【請求項２】
前記工程Ｃにおいて、前記運用保守サーバは、各移動局の識別情報から特定可能な各移動局の端末種別と前記加入者情報と前記能力情報とに基づいて、前記対象移動局を選択することを特徴とする請求項１に記載の移動通信方法。
【請求項３】
対象移動局に所望無線品質を測定させて報告させるように構成されている運用保守サーバであって、
加入者情報サーバによって管理されている各移動局の加入者情報を収集し、各移動局の能力情報を収集するように構成されている収集部と、
前記加入者情報及び前記能力情報に基づいて、前記対象移動局を選択するように構成されている選択部とを具備することを特徴とする運用保守サーバ。
【請求項４】
前記選択部は、各移動局の識別情報から特定可能な各移動局の端末種別と前記加入者情報と前記能力情報とに基づいて、前記対象移動局を選択するように構成されていることを特徴とする請求項３に記載の運用保守サーバ。
【請求項５】
対象移動局に所望無線品質を測定させて報告させる移動通信方法であって、
交換局が、加入者情報サーバによって管理されている各移動局の加入者情報を収集する工程Ａと、
前記交換局が、各移動局の能力情報を収集する工程Ｂと、
前記交換局が、前記加入者情報及び前記能力情報に基づいて、前記対象移動局を選択する工程Ｃとを有することを特徴とする移動通信方法。
【請求項６】
前記工程Ｃにおいて、前記交換局は、各移動局の識別情報から特定可能な各移動局の端末種別と前記加入者情報と前記能力情報とに基づいて、前記対象移動局を選択することを特徴とする請求項５に記載の移動通信方法。
【請求項７】
対象移動局に所望無線品質を測定させて報告させるように構成されている交換局であって、
加入者情報サーバによって管理されている各移動局の加入者情報を収集し、各移動局の能力情報を収集するように構成されている収集部と、
前記加入者情報及び前記能力情報に基づいて、前記対象移動局を選択するように構成されている選択部とを具備することを特徴とする交換局。
【請求項８】
前記選択部は、各移動局の識別情報から特定可能な各移動局の端末種別と前記加入者情報と前記能力情報とに基づいて、前記対象移動局を選択するように構成されていることを特徴とする請求項７に記載の交換局。
【請求項９】
対象移動局に所望無線品質を測定させて報告させる移動通信方法であって、
無線基地局が、加入者情報サーバによって管理されている各移動局の加入者情報を収集する工程Ａと、
前記無線基地局が、各移動局の能力情報を収集する工程Ｂと、
前記無線基地局が、前記加入者情報及び前記能力情報に基づいて、前記対象移動局を選択する工程Ｃとを有することを特徴とする移動通信方法。
【請求項１０】
前記工程Ｃにおいて、前記無線基地局は、各移動局の識別情報から特定可能な各移動局の端末種別と前記加入者情報と前記能力情報とに基づいて、前記対象移動局を選択することを特徴とする請求項９に記載の移動通信方法。
【請求項１１】
対象移動局に所望無線品質を測定させて報告させるように構成されている無線基地局であって、
加入者情報サーバによって管理されている各移動局の加入者情報を収集し、各移動局の能力情報を収集するように構成されている収集部と、
前記加入者情報及び前記能力情報に基づいて、前記対象移動局を選択するように構成されている選択部とを具備することを特徴とする無線基地局。
【請求項１２】
前記選択部は、各移動局の識別情報から特定可能な各移動局の端末種別と前記加入者情報と前記能力情報とに基づいて、前記対象移動局を選択するように構成されていることを特徴とする請求項１１に記載の無線基地局。
【請求項１３】
対象移動局に所望無線品質を測定させて報告させる移動通信方法であって、
交換局が、加入者情報サーバによって管理されている各移動局の加入者情報を収集する工程と、
前記交換局が、前記加入者情報に基づいて前記対象移動局を選択し、無線基地局に対して該対象移動局の選択結果を通知する工程と、
前記無線基地局が、各移動局の能力情報を収集する工程と、
前記無線基地局が、前記対象移動局の選択結果及び前記能力情報に基づいて、前記対象移動局を選択する工程とを有することを特徴とする移動通信方法。
【発明の詳細な説明】
【技術分野】
【０００１】
本発明は、移動通信方法、運用保守サーバ、交換局及び無線基地局に関する。
【背景技術】
【０００２】
従来の移動通信システムでは、通信事業者が、無線品質の改善を行うために、「Ｄｒｉｖｅ  Ｔｅｓｔ」を行うことによって、各エリアにおける無線品質の測定及び調査を行っていた。
【先行技術文献】
【非特許文献】
【０００３】
【非特許文献１】３ＧＰＰ  ＴＲ３６.８０５、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）；Ｓｔｕｄｙ  ｏｎ  ｍｉｎｉｍｉｚａｔｉｏｎ  ｏｆ  ｄｒｉｖｅ-ｔｅｓｔｓ  ｉｎ  ｎｅｘｔ  ｇｅｎｅｒａｔｉｏｎ  ｎｅｔｗｏｒｋｓ」
【非特許文献２】３ＧＰＰ  ＴＳ３７.３２０、「Ｒａｄｉｏ  ｍｅａｓｕｒｅｍｅｎｔ  ｃｏｌｌｅｃｔｉｏｎ  ｆｏｒ  ＭＤＴ」
【発明の概要】
【発明が解決しようとする課題】
【０００４】
しかしながら、「Ｄｒｉｖｅ  Ｔｅｓｔ」では、通信事業者は、全てのエリアにおいて無線品質の測定及び調査を行い、問題となるエリアを見つけ、かかる無線品質の測定及び調査結果に基づいて、無線品質の改善を行う必要があり、高いコストが掛かるという問題点があった。
【０００５】
かかる問題点を解決するために、３ＧＰＰでは、対象移動局ＵＥに所望無線品質を測定させて報告させる「ＭＤＴ（Ｍｉｎｉｍｉｓａｔｉｏｎ  ｏｆ  Ｄｒｉｖｅ  Ｔｅｓｔｓ）」という手法が議論されている。
【０００６】
そこで、本発明は、上述の課題に鑑みてなされたものであり、効率的に対象移動局ＵＥに所望無線品質を測定させて報告させることができる移動通信方法、運用保守サーバ、交換局及び無線基地局を提供することを目的とする。
【課題を解決するための手段】
【０００７】
本発明の第１の特徴は、対象移動局に所望無線品質を測定させて報告させる移動通信方法であって、運用保守サーバが、加入者情報サーバによって管理されている各移動局の加入者情報を収集する工程Ａと、前記運用保守サーバが、各移動局の能力情報を収集する工程Ｂと、前記運用保守サーバが、前記加入者情報及び前記能力情報に基づいて、前記対象移動局を選択する工程Ｃとを有することを要旨とする。
【０００８】
本発明の第２の特徴は、対象移動局に所望無線品質を測定させて報告させるように構成されている運用保守サーバであって、加入者情報サーバによって管理されている各移動局の加入者情報を収集し、各移動局の能力情報を収集するように構成されている収集部と、前記加入者情報及び前記能力情報に基づいて、前記対象移動局を選択するように構成されている選択部とを具備することを要旨とする。
【０００９】
本発明の第３の特徴は、対象移動局に所望無線品質を測定させて報告させる移動通信方法であって、交換局が、加入者情報サーバによって管理されている各移動局の加入者情報を収集する工程Ａと、前記交換局が、各移動局の能力情報を収集する工程Ｂと、前記交換局が、前記加入者情報及び前記能力情報に基づいて、前記対象移動局を選択する工程Ｃとを有することを要旨とする。
【００１０】
本発明の第４の特徴は、対象移動局に所望無線品質を測定させて報告させるように構成されている交換局であって、加入者情報サーバによって管理されている各移動局の加入者情報を収集し、各移動局の能力情報を収集するように構成されている収集部と、前記加入者情報及び前記能力情報に基づいて、前記対象移動局を選択するように構成されている選択部とを具備することを要旨とする。
【００１１】
本発明の第５の特徴は、対象移動局に所望無線品質を測定させて報告させる移動通信方法であって、無線基地局が、加入者情報サーバによって管理されている各移動局の加入者情報を収集する工程Ａと、前記無線基地局が、各移動局の能力情報を収集する工程Ｂと、前記無線基地局が、前記加入者情報及び前記能力情報に基づいて、前記対象移動局を選択する工程Ｃとを有することを要旨とする。
【００１２】
本発明の第６の特徴は、対象移動局に所望無線品質を測定させて報告させるように構成されている無線基地局であって、加入者情報サーバによって管理されている各移動局の加入者情報を収集し、各移動局の能力情報を収集するように構成されている収集部と、前記加入者情報及び前記能力情報に基づいて、前記対象移動局を選択するように構成されている選択部とを具備することを要旨とする。
【００１３】
本発明の第７の特徴は、対象移動局に所望無線品質を測定させて報告させる移動通信方法であって、交換局が、加入者情報サーバによって管理されている各移動局の加入者情報を収集する工程と、前記交換局が、前記加入者情報に基づいて前記対象移動局を選択し、無線基地局に対して該対象移動局の選択結果を通知する工程と、前記無線基地局が、各移動局の能力情報を収集する工程と、前記無線基地局が、前記対象移動局の選択結果及び前記能力情報に基づいて、前記対象移動局を選択する工程とを有することを要旨とする。
【発明の効果】
【００１４】
以上説明したように、本発明によれば、効率的に対象移動局ＵＥに所望無線品質を測定させて報告させることができる移動通信方法、運用保守サーバ、交換局及び無線基地局を提供することができる。
【図面の簡単な説明】
【００１５】
【図１】本発明の第１の実施形態に係る移動通信システムの全体構成図である。
【図２】本発明の第１の実施形態に係る運用保守サーバの機能ブロック図である。
【図３】本発明の第１の実施形態に係る移動通信システムの動作を示すシーケンス図である。
【図４】本発明の第２の実施形態に係る交換局の機能ブロック図である。
【図５】本発明の第２の実施形態に係る移動通信システムの動作を示すシーケンス図である。
【図６】本発明の第３の実施形態に係る無線基地局の機能ブロック図である。
【図７】本発明の第３の実施形態に係る移動通信システムの動作を示すシーケンス図である。
【図８】本発明の第４の実施形態に係る移動通信システムの動作を示すシーケンス図である。
【発明を実施するための形態】
【００１６】
（本発明の第１の実施形態に係る移動通信システム）
図１乃至図３を参照して、本発明の第１の実施形態に係る移動通信システムの構成について説明する。
【００１７】
図１に示すように、本実施形態に係る移動通信システムは、加入者情報サーバＨＳＳ（Ｈｏｍｅ  Ｓｕｂｓｃｒｉｂｅｒ  Ｓｅｒｖｅｒ）と、運用保守サーバＯＡＭ（Ｏｐｅｒａｔｉｏｎ  Ａｎｄ  Ｍａｉｎｔｅｎａｎｃｅ）と、交換局ＭＭＥ（Ｍｏｂｉｌｉｔｙ  Ｍａｎａｇｅｍｅｎｔ  Ｅｎｔｉｔｙ）と、無線基地局ｅＮＢとを具備している。
【００１８】
本実施形態に係る移動通信システムは、対象移動局ＵＥに所望無線品質を測定させて報告させる「ＭＤＴ」を行うことができるように構成されている。本実施形態に係る移動通信システムで行うことが可能な「ＭＤＴ」には、「Ｉｍｍｅｄｉａｔｅ  ＭＤＴ」及び「Ｌｏｇｇｅｄ  ＭＤＴ」の２種類が想定されている。
【００１９】
ここで、「Ｉｍｍｅｄｉａｔｅ  ＭＤＴ」は、ＲＲＣ_Ｃｏｎｎｅｃｔｅｄ状態（Ａｃｔｉｖｅ状態）の対象移動局ＵＥに所望無線品質を測定させて報告させる「ＭＤＴ」である。３ＧＰＰでは、既存の「Ｍｅａｓｕｒｅｍｅｎｔ」の規定を拡張することによって「Ｉｍｍｅｄｉａｔｅ  ＭＤＴ」の規定を決めることが検討されている。
【００２０】
例えば、「Ｉｍｍｅｄｉａｔｅ  ＭＤＴ」では、ＲＲＣ_Ｃｏｎｎｅｃｔｅｄ状態の対象移動局ＵＥは、「Ｒｅｐｏｒｔｉｎｇ  Ｃｏｎｆｉｇｕｒａｔｉｏｎ（ＥｖｅｎｔやＰｅｒｉｏｄ等）」によって既定された報告条件が満たされた場合に、所望無線品質の測定結果を報告するように構成されていてもよい。
【００２１】
一方、「Ｌｏｇｇｅｄ  ＭＤＴ」は、ＲＲＣ_Ｉｄｌｅ状態の対象移動局ＵＥに所望無線品質を測定させて報告させる「ＭＤＴ」である。
【００２２】
例えば、「Ｌｏｇｇｅｄ  ＭＤＴ」では、ＲＲＣ_Ｉｄｌｅ状態の対象移動局ＵＥは、所望無線品質の測定結果を記憶しておき、ＲＲＣ_Ｃｏｎｎｅｃｔｅｄ状態に遷移する際に、かかる測定結果を報告するように構成されていてもよい。
【００２３】
図２に示すように、運用保守サーバＯＡＭは、本実施形態に係る移動通信システムにおける運用及び保守に係る処理を行うためのサーバであり、収集部１１と、選択部１２と、通知部１３とを具備している。
【００２４】
収集部１１は、所定タイミングで、加入者情報サーバＨＳＳから、各移動局ＵＥの「ＵＥ  ｓｕｂｓｃｒｉｐｔｉｏｎ」を収集するように構成されている。例えば、収集部１１は、周規定に、加入者情報サーバＨＳＳから、各移動局ＵＥの「ＵＥ  ｓｕｂｓｃｒｉｐｔｉｏｎ」を収集するように構成されていてもよいし、対象移動局ＵＥを選択するためのトリガが検出された場合に、加入者情報サーバＨＳＳから、各移動局ＵＥの「ＵＥ  ｓｕｂｓｃｒｉｐｔｉｏｎ」を収集するように構成されていてもよい。
【００２５】
「ＵＥ  ｓｕｂｓｃｒｉｐｔｉｏｎ」は、加入者情報サーバＨＳＳによって管理されている移動局ＵＥの加入者情報であり、かかる移動局ＵＥがＭＤＴを行ってもよいか否かについて示す情報等を含む契約情報等を含む。ここで、例えば、通信事業者は、ＭＤＴを行ってもよいという契約内容の移動局ＵＥに対して、所定の特典を付与してもよい。
【００２６】
なお、「ＵＥ  ｓｕｂｓｃｒｉｐｔｉｏｎ」は、「ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）」や「ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）」や「ＳＰＩＤ（Ｓｅｒｖｉｃｅ  Ｐｒｏｖｉｄｅｒ  Ｉｄｅｎｔｉｔｙ）」等に関連付けられている。
【００２７】
また、収集部１１は、各移動局ＵＥの「ＵＥ  ｃａｐａｂｉｌｉｔｙ」を収集するように構成されている。
【００２８】
「ＵＥ  ｃａｐａｂｉｌｉｔｙ」は、交換局ＭＭＥ及び移動局ＵＥによって管理されている移動局ＵＥの能力情報であり、移動局ＵＥが「Ｉｍｍｅｄｉａｔｅ  ＭＤＴ」及び「Ｌｏｇｇｅｄ  ＭＤＴ」を行うことが可能であるか否かについて示す情報や、無線品質を記憶（ｌｏｇｇｉｎｇ）しておくためのバッファを有しているか否かについて示す情報等を含む。
【００２９】
ここで、例えば、交換局ＭＭＥは、ＮＡＳ（Ｎｏｎ  Ａｃｃｅｓｓ  Ｓｔｒａｔｕｍ）に係る「ＵＥ  ｃａｐａｂｉｌｉｔｙ」を管理しており、移動局ＵＥは、ＡＳ（Ａｃｃｅｓｓ  Ｓｔｒａｔｕｍ）に係る「ＵＥ  ｃａｐａｂｉｌｉｔｙ」を管理していてもよい。
【００３０】
なお、収集部１１は、移動局ＵＥによって管理されている「ＵＥ  ｃａｐａｂｉｌｉｔｙ」については、無線基地局ｅＮＢを介して収集するように構成されていてもよいし、無線基地局ｅＮＢ及び交換局ＭＭＥを介して収集するように構成されていてもよい。
【００３１】
選択部１２は、収集部１１によって収集された「ＵＥ  ｓｕｂｓｃｒｉｐｔｉｏｎ」及び「ＵＥ  ｃａｐａｂｉｌｉｔｙ」に基づいて、対象移動局ＵＥを選択するように構成されている。
【００３２】
また、選択部１２は、収集部１１によって収集された「ＵＥ  ｓｕｂｓｃｒｉｐｔｉｏｎ」及び「ＵＥ  ｃａｐａｂｉｌｉｔｙ」に加えて、各移動局ＵＥの端末種別（Ｈａｎｄｓｅｔ  ｔｙｐｅ）に基づいて、対象移動局ＵＥを選択するように構成されていてもよい。
【００３３】
ここで、移動局ＵＥの端末種別は、かかる移動局ＵＥの「ＵＥ  ｉｄｅｎｔｉｆｉｃａｔｉｏｎ（ＩＭＳＩやＩＭＥＩ等）」から特定可能であり、移動局ＵＥの端末種別によって、無線品質、例えば、ＲＳＲＰ（Ｒｅｃｅｉｖｅｄ  Ｓｉｇｎａｌ  Ｒｅｆｅｒｅｎｃｅ  Ｐｏｗｅｒ）やＲＰＲＱ（Ｒｅｃｅｉｖｅｄ  Ｓｉｇｎａｌ  Ｒｅｆｅｒｅｎｃｅ  Ｑｕａｌｉｔｙ）の測定精度が異なる。
【００３４】
さらに、選択部１２は、移動局ＵＥのユーザから受けた苦情に関する情報に基づいて、対象移動局ＵＥを選択するように構成されていてもよい。例えば、選択部１２は、苦情を受けたユーザの移動局ＵＥを、優先的に対象移動局ＵＥとして選択するように構成されていてもよい。
【００３５】
通知部１３は、対象移動局ＵＥに対して、「ＭＤＴ」を行うように指示する通知を送信するように構成されている。
【００３６】
具体的には、通知部１３は、無線基地局ｅＮＢに対して、対象移動局ＵＥに係る「ＭＤＴ  ｐａｒｔｉｃｉｐａｔｉｏｎ  ｎｏｔｉｆｉｃａｔｉｏｎ」を送信するように構成されている。
【００３７】
以下、図３を参照して、本実施形態に係る移動通信システムの動作について説明する。
【００３８】
図３に示すように、ステップＳ１００１において、運用保守サーバＯＡＭは、加入者情報サーバＨＳＳから、各移動局ＵＥの「ＵＥ  ｓｕｂｓｃｒｉｐｔｉｏｎ」を収集する。
【００３９】
ステップＳ１００２において、無線基地局ｅＮＢは、配下のセル内の各移動局ＵＥに対して、「ＵＥ  ｃａｐａｂｉｌｉｔｙ  ｉｎｑｕｉｒｙ」を送信し、ステップＳ１００３において、各移動局ＵＥは、「ＵＥ  ｃａｐａｂｉｌｉｔｙ  ｉｎｑｕｉｒｙ」に応じて、無線基地局ｅＮＢに対して、自身が管理している「ＵＥ  ｃａｐａｂｉｌｉｔｙ」を送信する。
【００４０】
ステップＳ１００４において、無線基地局ｅＮＢは、交換局ＭＭＥに対して、受信した各移動局ＵＥの「ＵＥ  ｃａｐａｂｉｌｉｔｙ」を送信する。
【００４１】
ステップＳ１００５において、交換局ＭＭＥは、無線基地局ｅＮＢから受信した各移動局ＵＥの「ＵＥ  ｃａｐａｂｉｌｉｔｙ」及び自身が管理している各移動局ＵＥの「ＵＥ  ｃａｐａｂｉｌｉｔｙ」に、各移動局ＵＥの「ＵＥ  ｉｄｅｎｔｉｆｉｃａｔｉｏｎ（ＩＭＳＩ等）」を加えて、運用保守サーバＯＡＭに送信する。
【００４２】
ステップＳ１００６において、運用保守サーバＯＡＭは、「ＵＥ  ｓｕｂｓｃｒｉｐｔｉｏｎ」や「ＵＥ  ｃａｐａｂｉｌｉｔｙ」等に基づいて、「ＭＤＴ」を行うべき１つ又は複数の対象移動局ＵＥを選択する。
【００４３】
ステップＳ１００７において、運用保守サーバＯＡＭは、無線基地局ｅＮＢに対して、対象移動局ＵＥに係る「ＭＤＴ  ｐａｒｔｉｃｉｐａｔｉｏｎ  ｎｏｔｉｆｉｃａｔｉｏｎ」を送信し、ステップＳ１００８において、無線基地局ｅＮＢは、対象移動局ＵＥに対して、「ＭＤＴ」に係る設定情報を含む「ＭＤＴ  Ｍｅａｓｕｒｅｍｅｎｔ  ａｎｄ  Ｒｅｐｏｒｔｉｎｇ  Ｃｏｎｆｉｇｕｒａｔｉｏｎ」を送信する。
【００４４】
その後、対象移動局ＵＥは、「ＭＤＴ」に係る設定情報に基づいて、「ＭＤＴ」を行うように構成されている。
【００４５】
本実施形態に係る移動通信システムによれば、既存の移動通信システムの機能を大幅に変更することなく、「ＭＤＴ」を行うべき対象移動局ＵＥを選択するために必要な情報を適切且つ効率的に収集することができる。
【００４６】
（本発明の第２の実施形態に係る移動通信システム）
図４及び図５を参照して、本発明の第２の実施形態に係る移動通信システムの構成について説明する。以下、本実施形態に係る移動通信システムについて、上述の第１の実施形態に係る移動通信システムとの相違点に着目して説明する。
【００４７】
図４に示すように、交換局ＭＭＥは、収集部２１と、選択部２２と、通知部２３とを具備している。
【００４８】
収集部２１は、上述の収集部１１と同様の機能であり、加入者情報サーバＨＳＳによって管理されている各移動局ＵＥの「ＵＥ  ｓｕｂｓｃｒｉｐｔｉｏｎ」を収集し、各移動局ＵＥの「ＵＥ  ｃａｐａｂｉｌｉｔｙ」を収集するように構成されている。
【００４９】
選択部２２は、上述の選択部１２と同様の機能であり、「ＵＥ  ｓｕｂｓｃｒｉｐｔｉｏｎ」及び「ＵＥ  ｃａｐａｂｉｌｉｔｙ」等に基づいて、対象移動局ＵＥを選択するように構成されている。
【００５０】
通知部２３は、上述の通知部１３と同様の機能であり、対象移動局ＵＥに対して、「ＭＤＴ」を行うように指示する通知を送信するように構成されている。
【００５１】
以下、図５を参照して、本実施形態に係る移動通信システムの動作について説明する。
【００５２】
図５に示すように、ステップＳ２００１において、交換局ＭＭＥは、加入者情報サーバＨＳＳから、各移動局ＵＥの「ＵＥ  ｓｕｂｓｃｒｉｐｔｉｏｎ」を収集する。
【００５３】
ステップＳ２００２において、無線基地局ｅＮＢは、配下のセル内の各移動局ＵＥに対して、「ＵＥ  ｃａｐａｂｉｌｉｔｙ  ｉｎｑｕｉｒｙ」を送信し、ステップＳ２００３において、各移動局ＵＥは、「ＵＥ  ｃａｐａｂｉｌｉｔｙ  ｉｎｑｕｉｒｙ」に応じて、無線基地局ｅＮＢに対して、自身が管理している「ＵＥ  ｃａｐａｂｉｌｉｔｙ」を送信する。
【００５４】
ステップＳ２００４において、無線基地局ｅＮＢは、交換局ＭＭＥに対して、受信した各移動局ＵＥの「ＵＥ  ｃａｐａｂｉｌｉｔｙ」を送信する。
【００５５】
ステップＳ２００５において、交換局ＭＭＥは、加入者情報サーバＨＳＳから受信した「ＵＥ  ｓｕｂｓｃｒｉｐｔｉｏｎ」や無線基地局ｅＮＢから受信した「ＵＥ  ｃａｐａｂｉｌｉｔｙ」や自身が管理している「ＵＥ  ｃａｐａｂｉｌｉｔｙ」や「ＵＥ  ｉｄｅｎｔｉｆｉｃａｔｉｏｎ（ＩＭＳＩ等）」によって特定される移動局ＵＥの端末種別等に基づいて、「ＭＤＴ」を行うべき１つ又は複数の対象移動局ＵＥを選択する。
【００５６】
ステップＳ２００６において、交換局ＭＭＥは、無線基地局ｅＮＢに対して、対象移動局ＵＥに係る「ＭＤＴ  ｐａｒｔｉｃｉｐａｔｉｏｎ  ｎｏｔｉｆｉｃａｔｉｏｎ」を送信し、ステップＳ２００７において、無線基地局ｅＮＢは、対象移動局ＵＥに対して、「ＭＤＴ」に係る設定情報を含む「ＭＤＴ  Ｍｅａｓｕｒｅｍｅｎｔ  ａｎｄ  Ｒｅｐｏｒｔｉｎｇ  Ｃｏｎｆｉｇｕｒａｔｉｏｎ」を送信する。
【００５７】
その後、対象移動局ＵＥは、「ＭＤＴ」に係る設定情報に基づいて、「ＭＤＴ」を行うように構成されている。
【００５８】
本実施形態に係る移動通信システムによれば、既存の移動通信システムの機能を大幅に変更することなく、「ＭＤＴ」を行うべき対象移動局ＵＥを選択するために必要な情報を適切且つ効率的に収集することができる。
【００５９】
（本発明の第３の実施形態に係る移動通信システム）
図６及び図７を参照して、本発明の第３の実施形態に係る移動通信システムの構成について説明する。以下、本実施形態に係る移動通信システムについて、上述の第１の実施形態に係る移動通信システムとの相違点に着目して説明する。
【００６０】
図６に示すように、無線基地局ｅＮＢは、収集部３１と、選択部３２と、通知部３３とを具備している。
【００６１】
収集部３１は、上述の収集部１１及び収集部２１と同様の機能であり、加入者情報サーバＨＳＳによって管理されている各移動局ＵＥの「ＵＥ  ｓｕｂｓｃｒｉｐｔｉｏｎ」を収集し、各移動局ＵＥの「ＵＥ  ｃａｐａｂｉｌｉｔｙ」を収集するように構成されている。
【００６２】
選択部３２は、上述の選択部１２及び選択部２２と同様の機能であり、「ＵＥ  ｓｕｂｓｃｒｉｐｔｉｏｎ」及び「ＵＥ  ｃａｐａｂｉｌｉｔｙ」等に基づいて、対象移動局ＵＥを選択するように構成されている。
【００６３】
通知部３３は、上述の通知部１３及び通知部２３と同様の機能であり、対象移動局ＵＥに対して、「ＭＤＴ」を行うように指示する通知を送信するように構成されている。
【００６４】
以下、図７を参照して、本実施形態に係る移動通信システムの動作について説明する。
【００６５】
図７に示すように、ステップＳ３００１において、加入者情報サーバＨＳＳは、交換局ＭＭＥに対して、各移動局ＵＥの「ＵＥ  ｓｕｂｓｃｒｉｐｔｉｏｎ」を送信し、ステップＳ３００２において、交換局ＭＭＥは、無線基地局ｅＮＢに対して、各移動局ＵＥの「ＵＥ  ｓｕｂｓｃｒｉｐｔｉｏｎ」及び「ＵＥ  ｉｄｅｎｔｉｆｉｃａｔｉｏｎ（ＩＭＳＩ等）」を送信する。
【００６６】
ステップＳ３００３において、無線基地局ｅＮＢは、配下のセル内の各移動局ＵＥに対して、「ＵＥ  ｃａｐａｂｉｌｉｔｙ  ｉｎｑｕｉｒｙ」を送信し、ステップＳ３００４において、各移動局ＵＥは、「ＵＥ  ｃａｐａｂｉｌｉｔｙ  ｉｎｑｕｉｒｙ」に応じて、無線基地局ｅＮＢに対して、自身が管理している「ＵＥ  ｃａｐａｂｉｌｉｔｙ」を送信する。
【００６７】
ステップＳ３００５において、無線基地局ｅＮＢは、加入者情報サーバＨＳＳから受信した「ＵＥ  ｓｕｂｓｃｒｉｐｔｉｏｎ」や、移動局ＵＥから受信した「ＵＥ  ｃａｐａｂｉｌｉｔｙ」や、交換局ＭＭＥから受信した「ＵＥ  ｉｄｅｎｔｉｆｉｃａｔｉｏｎ（ＩＭＳＩ等）」によって特定される移動局ＵＥの端末種別等に基づいて、「ＭＤＴ」を行うべき１つ又は複数の対象移動局ＵＥを選択する。
【００６８】
ステップＳ３００６において、無線基地局ｅＮＢは、対象移動局ＵＥに対して、「ＭＤＴ」に係る設定情報を含む「ＭＤＴ  Ｍｅａｓｕｒｅｍｅｎｔ  ａｎｄ  Ｒｅｐｏｒｔｉｎｇ  Ｃｏｎｆｉｇｕｒａｔｉｏｎ」を送信する。
【００６９】
その後、対象移動局ＵＥは、「ＭＤＴ」に係る設定情報に基づいて、「ＭＤＴ」を行うように構成されている。
【００７０】
本実施形態に係る移動通信システムによれば、既存の移動通信システムの機能を大幅に変更することなく、「ＭＤＴ」を行うべき対象移動局ＵＥを選択するために必要な情報を適切且つ効率的に収集することができる。
【００７１】
（本発明の第４の実施形態に係る移動通信システム）
図８を参照して、本発明の第４の実施形態に係る移動通信システムの構成について説明する。以下、本実施形態に係る移動通信システムについて、上述の第１の実施形態に係る移動通信システムとの相違点に着目して説明する。
【００７２】
以下、図８を参照して、本実施形態に係る移動通信システムの動作について説明する。
【００７３】
図８に示すように、ステップＳ４００１において、加入者情報サーバＨＳＳは、交換局ＭＭＥに対して、各移動局ＵＥの「ＵＥ  ｓｕｂｓｃｒｉｐｔｉｏｎ」を送信する。
【００７４】
ステップＳ４００２において、無線基地局ｅＮＢは、配下のセル内の各移動局ＵＥに対して、「ＵＥ  ｃａｐａｂｉｌｉｔｙ  ｉｎｑｕｉｒｙ」を送信し、ステップＳ４００３において、各移動局ＵＥは、「ＵＥ  ｃａｐａｂｉｌｉｔｙ  ｉｎｑｕｉｒｙ」に応じて、無線基地局ｅＮＢに対して、自身が管理している「ＵＥ  ｃａｐａｂｉｌｉｔｙ」を送信する。
【００７５】
交換局ＭＭＥは、ステップＳ４００４において、各移動局ＵＥの「ＵＥ  ｓｕｂｓｃｒｉｐｔｉｏｎ」に基づいて、「ＭＤＴ」を行うべき１つ又は複数の対象移動局ＵＥを選択し、ステップＳ４００５において、無線基地局ｅＮＢに対して、対象移動局ＵＥの選択結果「ＵＥ  ｓｅｌｅｃｔｉｏｎ  ｂａｓｅｄ  ｏｎ  ＵＥ  ｓｕｂｓｃｒｉｐｔｉｏｎ  ｒｅｓｕｌｔ」を通知する。
【００７６】
ステップＳ４００６において、無線基地局ｅＮＢは、交換局ＭＭＥから受信した対象移動局ＵＥの選択結果や、移動局ＵＥから受信した「ＵＥ  ｃａｐａｂｉｌｉｔｙ」等に基づいて、「ＭＤＴ」を行うべき１つ又は複数の対象移動局ＵＥを選択する。
【００７７】
ステップＳ４００７において、無線基地局ｅＮＢは、対象移動局ＵＥに対して、「ＭＤＴ」に係る設定情報を含む「ＭＤＴ  Ｍｅａｓｕｒｅｍｅｎｔ  ａｎｄ  Ｒｅｐｏｒｔｉｎｇ  Ｃｏｎｆｉｇｕｒａｔｉｏｎ」を送信する。
【００７８】
その後、対象移動局ＵＥは、「ＭＤＴ」に係る設定情報に基づいて、「ＭＤＴ」を行うように構成されている。
【００７９】
本実施形態に係る移動通信システムによれば、既存の移動通信システムの機能を大幅に変更することなく、「ＭＤＴ」を行うべき対象移動局ＵＥを選択するために必要な情報を適切且つ効率的に収集することができる。
【００８０】
以上に述べた実施形態の特徴は、以下のように表現されていてもよい。
【００８１】
本実施形態の第１の特徴は、対象移動局ＵＥに所望無線品質を測定させて報告させる移動通信方法であって、運用保守サーバＯＡＭが、加入者情報サーバＨＳＳによって管理されている各移動局ＵＥの「ＵＥ  ｓｕｂｓｃｒｉｐｔｉｏｎ（加入者情報）」を収集する工程Ａと、運用保守サーバＯＡＭが、各移動局ＵＥの「ＵＥ  ｃａｐａｂｉｌｉｔｙ（能力情報）」を収集する工程Ｂと、運用保守サーバＯＡＭが、「ＵＥ  ｓｕｂｓｃｒｉｐｔｉｏｎ」及び「ＵＥ  ｃａｐａｂｉｌｉｔｙ」に基づいて、対象移動局ＵＥを選択する工程Ｃとを有することを要旨とする。
【００８２】
本実施形態の第１の特徴において、工程Ｃにおいて、運用保守サーバＯＡＭは、各移動局ＵＥの「ＵＥ  ｉｄｅｎｔｉｆｉｃａｔｉｏｎ（識別情報）」から特定可能な各移動局ＵＥの端末種別（Ｈａｎｄｓｅｔ  ｔｙｐｅ）と「ＵＥ  ｓｕｂｓｃｒｉｐｔｉｏｎ」と「ＵＥ  ｃａｐａｂｉｌｉｔｙ」とに基づいて、対象移動局ＵＥを選択してもよい。
【００８３】
本実施形態の第２の特徴は、対象移動局ＵＥに所望無線品質を測定させて報告させるように構成されている運用保守サーバＯＡＭであって、加入者情報サーバＨＳＳによって管理されている各移動局ＵＥの「ＵＥ  ｓｕｂｓｃｒｉｐｔｉｏｎ」を収集し、各移動局ＵＥの「ＵＥ  ｃａｐａｂｉｌｉｔｙ」を収集するように構成されている収集部１１と、「ＵＥ  ｓｕｂｓｃｒｉｐｔｉｏｎ」及び「ＵＥ  ｃａｐａｂｉｌｉｔｙ」に基づいて、対象移動局ＵＥを選択するように構成されている選択部１２とを具備することを要旨とする。
【００８４】
本実施形態の第２の特徴において、選択部１２は、各移動局ＵＥの「ＵＥ  ｉｄｅｎｔｉｆｉｃａｔｉｏｎ」から特定可能な各移動局ＵＥの端末種別（Ｈａｎｄｓｅｔ  ｔｙｐｅ）と「ＵＥ  ｓｕｂｓｃｒｉｐｔｉｏｎ」と「ＵＥ  ｃａｐａｂｉｌｉｔｙ」とに基づいて、対象移動局ＵＥを選択するように構成されていてもよい。
【００８５】
本実施形態の第３の特徴は、対象移動局ＵＥに所望無線品質を測定させて報告させる移動通信方法であって、交換局ＭＭＥが、加入者情報サーバＨＳＳによって管理されている各移動局ＵＥの「ＵＥ  ｓｕｂｓｃｒｉｐｔｉｏｎ」を収集する工程Ａと、交換局ＭＭＥが、各移動局ＵＥの「ＵＥ  ｃａｐａｂｉｌｉｔｙ」を収集する工程Ｂと、交換局ＭＭＥが、「ＵＥ  ｓｕｂｓｃｒｉｐｔｉｏｎ」及び「ＵＥ  ｃａｐａｂｉｌｉｔｙ」に基づいて、対象移動局ＵＥを選択する工程Ｃとを有することを要旨とする。
【００８６】
本実施形態の第３の特徴において、工程Ｃにおいて、交換局ＭＭＥは、各移動局ＵＥの「ＵＥ  ｉｄｅｎｔｉｆｉｃａｔｉｏｎ」から特定可能な各移動局ＵＥの端末種別（Ｈａｎｄｓｅｔ  ｔｙｐｅ）と「ＵＥ  ｓｕｂｓｃｒｉｐｔｉｏｎ」と「ＵＥ  ｃａｐａｂｉｌｉｔｙ」とに基づいて、対象移動局ＵＥを選択してもよい。
【００８７】
本実施形態の第４の特徴は、対象移動局ＵＥに所望無線品質を測定させて報告させるように構成されている交換局ＭＭＥであって、加入者情報サーバＨＳＳによって管理されている各移動局ＵＥの「ＵＥ  ｓｕｂｓｃｒｉｐｔｉｏｎ」を収集し、各移動局ＵＥの「ＵＥ  ｃａｐａｂｉｌｉｔｙ」を収集するように構成されている収集部２１と、「ＵＥ  ｓｕｂｓｃｒｉｐｔｉｏｎ」及び「ＵＥ  ｃａｐａｂｉｌｉｔｙ」に基づいて、対象移動局ＵＥを選択するように構成されている選択部２２とを具備することを要旨とする。
【００８８】
本実施形態の第４の特徴において、選択部２１は、各移動局ＵＥの「ＵＥ  ｉｄｅｎｔｉｆｉｃａｔｉｏｎ」から特定可能な各移動局ＵＥの端末種別（Ｈａｎｄｓｅｔ  ｔｙｐｅ）と「ＵＥ  ｓｕｂｓｃｒｉｐｔｉｏｎ」と「ＵＥ  ｃａｐａｂｉｌｉｔｙ」とに基づいて、対象移動局ＵＥを選択するように構成されていてもよい。
【００８９】
本実施形態の第５の特徴は、対象移動局ＵＥに所望無線品質を測定させて報告させる移動通信方法であって、無線基地局ｅＮＢが、加入者情報サーバＨＳＳによって管理されている各移動局ＵＥの「ＵＥ  ｓｕｂｓｃｒｉｐｔｉｏｎ」を収集する工程Ａと、無線基地局ｅＮＢが、各移動局ＵＥの「ＵＥ  ｃａｐａｂｉｌｉｔｙ」を収集する工程Ｂと、無線基地局ｅＮＢが、「ＵＥ  ｓｕｂｓｃｒｉｐｔｉｏｎ」及び「ＵＥ  ｃａｐａｂｉｌｉｔｙ」に基づいて、対象移動局ＵＥを選択する工程Ｃとを有することを要旨とする。
【００９０】
本実施形態の第５の特徴において、工程Ｃにおいて、無線基地局ｅＮＢは、各移動局ＵＥの「ＵＥ  ｉｄｅｎｔｉｆｉｃａｔｉｏｎ（識別情報）」から特定可能な各移動局ＵＥの端末種別（Ｈａｎｄｓｅｔ  ｔｙｐｅ）と「ＵＥ  ｓｕｂｓｃｒｉｐｔｉｏｎ」と「ＵＥ  ｃａｐａｂｉｌｉｔｙ」とに基づいて、対象移動局ＵＥを選択してもよい。
【００９１】
本実施形態の第６の特徴は、対象移動局ＵＥに所望無線品質を測定させて報告させるように構成されている無線基地局ｅＮＢであって、加入者情報サーバＨＳＳによって管理されている各移動局ＵＥの「ＵＥ  ｓｕｂｓｃｒｉｐｔｉｏｎ」を収集し、各移動局ＵＥの「ＵＥ  ｃａｐａｂｉｌｉｔｙ」を収集するように構成されている収集部３１と、「ＵＥ  ｓｕｂｓｃｒｉｐｔｉｏｎ」及び「ＵＥ  ｃａｐａｂｉｌｉｔｙ」に基づいて、対象移動局ＵＥを選択するように構成されている選択部３２とを具備することを要旨とする。
【００９２】
本実施形態の第６の特徴において、選択部３２は、各移動局ＵＥの「ＵＥ  ｉｄｅｎｔｉｆｉｃａｔｉｏｎ」から特定可能な各移動局ＵＥの端末種別（Ｈａｎｄｓｅｔ  ｔｙｐｅ）と「ＵＥ  ｓｕｂｓｃｒｉｐｔｉｏｎ」と「ＵＥ  ｃａｐａｂｉｌｉｔｙ」とに基づいて、対象移動局ＵＥを選択するように構成されていてもよい。
【００９３】
本実施形態の第７の特徴は、対象移動局ＵＥに所望無線品質を測定させて報告させる移動通信方法であって、交換局ＭＭＥが、加入者情報サーバＨＳＳによって管理されている各移動局の「ＵＥ  ｓｕｂｓｃｒｉｐｔｉｏｎ」を収集する工程と、交換局ＭＭＥが、各移動局の「ＵＥ  ｓｕｂｓｃｒｉｐｔｉｏｎ」に基づいて対象移動局ＵＥを選択し、無線基地局ｅＮＢに対して対象移動局ＵＥの選択結果「ＵＥ  ｓｅｌｅｃｔｉｏｎ  ｂａｓｅｄ  ｏｎ  ＵＥ  ｓｕｂｓｃｒｉｐｔｉｏｎ  ｒｅｓｕｌｔ」を通知する工程と、無線基地局ｅＮＢが、各移動局ＵＥの「ＵＥ  ｃａｐａｂｉｌｉｔｙ」を収集する工程と、無線基地局ｅＮＢが、対象移動局ＵＥの選択結果及び各移動局ＵＥの「ＵＥ  ｃａｐａｂｉｌｉｔｙ」に基づいて、対象移動局ＵＥを選択する工程とを有することを要旨とする。
【００９４】
なお、上述の移動局ＵＥや加入者情報サーバや無線基地局ｅＮＢや交換局ＭＭＥや運用保守サーバＯＡＭの動作は、ハードウェアによって実施されてもよいし、プロセッサによって実行されるソフトウェアモジュールによって実施されてもよいし、両者の組み合わせによって実施されてもよい。
【００９５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや加入者情報サーバや無線基地局ｅＮＢや交換局ＭＭＥや運用保守サーバＯＡＭ内に設けられていてもよい。また、かかる記憶媒体及びプロセッサは、ディスクリートコンポーネントとして移動局ＵＥや加入者情報サーバや無線基地局ｅＮＢや交換局ＭＭＥや運用保守サーバＯＡＭ内に設けられていてもよい。
【００９７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００９８】
ＵＥ…移動局
ＨＳＳ…加入者情報サーバ
ＯＡＭ…運用保守サーバ
ＭＭＥ…交換局
ｅＮＢ…無線基地局
１１、２１、３１…収集部
１２、２２、３２…選択部
１３、２３、３３…通知部
【図１】
2011223117.tif 000003
【図２】
2011223117.tif 000004
【図３】
2011223117.tif 000005
【図４】
2011223117.tif 000006
【図５】
2011223117.tif 000007
【図６】
2011223117.tif 000008
【図７】
2011223117.tif 000009
【図８】
2011223117.tif 000010